(57)【要約】      （修正有）【課題】閉鎖状態のときにゲート扉が、ゲート開口部を取り囲む面の外面と同一平面上で終わるように、セクション型ゲートを構成する。【解決手段】枠と、ガイドレール２と、走行ローラ７によりガイドレール２内に案内されている枢着結合された複数のセクション６からなるセクション型ゲート扉とを備えるセクション型ゲートであり、セクションの上側縁部は、隣接するセクションの下側縁部にある凹部に係合するゲート外側を起点とする円弧状の横断面形材を有している。枠は、ゲート開口部を区切り、フロント面部１２およびガイドレールの垂直区域を取り付けるために前記フロント面部から立ち上がる取付脚部１３を有する垂直方向の枠形材１１を有しており、セクション型ゲート扉は閉鎖状態のときゲート開口部のそれぞれの枠内面２０の間で、ゲート扉の外面１６が閉鎖状態のときゲート開口部を取り囲む面とオフセットなしに一直線上に並ぶように配置される。【選択図】図２
2008121366.tif 000002
【特許請求の範囲】
【請求項１】
枠（１）と、
垂直区域（３）、水平区域（４）、およびこれら両方の区域をつなぐ湾曲部を有するガイドレール（２）と、
走行ローラ（７）によりガイドレール（２）内に案内されている枢着結合された複数のセクション（６）からなるセクション型ゲート扉（５）と、
を備えるセクション型ゲートであって、
セクション（６）の上側縁部は、隣接するセクションの下側縁部にある凹部（１０）に係合する、ゲート外側を起点とする円弧状の横断面形材（９）を有しており、枠（１）は、ゲート開口部を区切り、フロント面部（１２）および前記フロント面部から立ち上がる取付脚部（１３）を有する垂直方向の枠形材（１１）を有しており、前記ガイドレール（２）の垂直区域は前記枠形材（１１）の前記取付脚部（１３）に取り付けられており、前記走行ローラ（７）は、セクション（６）のゲート内側の面に取り付けられた走行ローラ支持体（１７）に支承されており、
セクション型ゲート扉（５）は閉鎖状態のときゲート開口部のそれぞれの枠内面（２０）の間に配置されており、ゲート扉（５）の外面はゲート開口部を取り囲む面（２５）とオフセットなしに一直線上に並ぶことを特徴とするセクション型ゲート。
【請求項２】
枠形材（１１）のフロント面部（１２）には、ゲート開口部を取り囲む面（２５）を形成するプレート（１５）が配置されている、請求項１に記載のセクション型ゲート。
【請求項３】
前記走行ローラ支持体（１７）とセクション（６）の間に、セクション（６）と前記走行ローラ支持体（１７）の間の間隔を橋渡しするスペーサ部材（１８）が配置されている、請求項１または２に記載のセクション型ゲート。
【請求項４】
枠形材（１１）は、ゲート開口部の枠内面（２０）と一直線上に並ぶ鍔（１９）を有しており、セクションのゲート内側には、閉鎖状態のときに枠形材（１１）の前記鍔（１９）を隠す条片（２１）が配置されている、請求項１から３までのいずれか１項に記載のセクション型ゲート。
【請求項５】
枠形材の前記鍔（１９）にシール材が配置されている、請求項４に記載のセクション型ゲート。
【請求項６】
セクション（６）は、ゲート外面にプレート（２３）が取り付けられたフレーム構造（２２）を有しており、前記プレート（２３）は、上側縁部には、ゲート外面を起点とする円弧状の横断面形材（９）を有するとともに、下側縁部には、隣接するセクションの上側縁部と協働する凹部（１０）を有している、請求項１から５までのいずれか１項に記載のセクション型ゲート。
【請求項７】
セクション（６）は木材または木工製品でできている、請求項１から６までのいずれか１項に記載のセクション型ゲート。
【請求項８】
前記ガイドレール（２）の水平区域の上に、実質的に水平方向へ枠形材（１１）まで延びる第２の走行レール（２４）が配置されており、閉鎖状態のとき一番上にくるセクションに配置された走行ローラは第２の走行レールに案内されており、その他すべてのセクションの走行ローラは前記ガイドレールの中で走行する、請求項１から７までのいずれか１項に記載のセクション型ゲート。
【発明の詳細な説明】
【技術分野】
【０００１】
本発明は、セクション型ゲートに関するものである。
【背景技術】
【０００２】
本発明は、枠と、垂直区域、水平区域、およびこれら両方の区域をつなぐ湾曲部を有するガイドレールと、走行ローラでガイドレール内に案内されている枢着結合された複数のセクションからなるセクション型ゲート扉とを備えるセクション型ゲートに関するものであり、セクション（６）の上側縁部は、隣接するセクションの下側縁部にある凹部（１０）に係合する、ゲート外側を起点とする円弧状の横断面形材（９）を有しており、枠は、ゲート開口部を区切り、鏡板面および鏡板面から立ち上がる取付脚部を有する垂直方向の枠形材を有しており、ガイドレールの垂直区域は枠形材の取付脚部に取り付けられており、走行ローラは、セクションのゲート内側の面に取り付けられた走行ローラ支持体に支承されている。セクションの上側縁部と下側縁部の横断面形材は、ゲートの開閉時にゲート外側で隙間が空かず、セクションがガイドレールの円弧状の領域を通過するときに再び閉じるように相互調節されている。
【０００３】
したがってセクションの上側縁部と下側縁部の形材は、ゲートが不適切に使用されたときの怪我を効果的に予防するものであり、しばしば指挟み防止形材とも呼ばれる。
【０００４】
上述した構成要件を備えるセクション型ゲートは欧州特許出願公開第０３０４６４２Ｂ１号明細書（ヘルマン）から公知である。公知の方策の枠内では、セクションの長さは、それぞれの垂直方向の枠形材の間の内のりの間隔よりも広いので、ゲート外面では、ゲート扉の外面と枠の外面との間にオフセットが常に生じている。枠が壁の内面に取り付けられると、ないしは枠外面にプレートが配置されると、このオフセットは壁ないしプレートの厚みの分だけさらに大きくなる。
【０００５】
体育館では、スポーツ用スペースをたとえば機械室などから分離するゲートが利用されている。ゲート扉と枠の間のオフセットは、体育館では望ましくない。オフセットがあると、たとえば球技などでは邪魔になり、選手にとって怪我の危険も生じることになる。したがってセクション型ゲートは、体育館でスポーツ用スペースをゲートで遮断するのにはこれまで利用されていなかった。
【特許文献１】欧州特許出願公開第０３０４６４２Ｂ１号
【発明の開示】
【発明が解決しようとする課題】
【０００６】
以上を背景とする本発明の課題は、閉鎖状態のときにゲート扉が、ゲート開口部を取り囲む面の外面と同一平面上で終わるように、セクション型ゲートを構成することである。
【課題を解決するための手段】
【０００７】
冒頭に述べた構成要件を備えるセクション型ゲートを前提としたうえで、前述の課題は本発明によれば、セクション型ゲート扉は閉鎖状態のときゲート開口部のそれぞれの枠内面（ソフィット）の間に配置されており、ゲート扉の外面は、ゲート開口部を取り囲む面とオフセットなしに一直線上に並ぶことによって解決される。枠形材の鏡板面には、ゲート開口部を取り囲む面を形成する、たとえば木材または衝撃吸収性材料からなるプレートが配置されるのが好ましい。当然ながら、ゲート開口部の枠内面よりもはるかに小さいわずかなオフセットは特定用途の利用目的にとっては無害であり、本発明の思想の範疇に含まれるものとする。
【０００８】
本発明では、セクションは、垂直方向の枠形材の間の内のり幅よりも若干短く構成されている。垂直方向の枠形材と、これに取り付けられたガイドレールとは従来技術に準じて構成、配置することができる。走行ローラ支持体とセクションの間には、セクションと走行ローラ支持体の間の間隔を橋渡しするスペーサ部材が配置される。その厚さは用途次第であり、枠内面の幅に合わせて決めることができる。スペーサ部材は、セクションの内面に取り付けられ、走行ローラ支持体のための載置面を形成する、一部分または多部分で構成された別個の部材であるのが好ましい。しかしながら、スペーサ部材として構成された脚部を走行ローラ支持体が有している実施形態も、本発明に該当するものとする。
【０００９】
本発明の有利な実施形態では、枠形材は、ゲート開口部の枠内面と一直線上に並ぶ鍔を有しており、セクションのゲート内側には、閉鎖状態のときに枠形材の鍔を隠す条片が配置されている。条片は戸じゃくりの機能を果たし、ゲート扉閉鎖状態のとき、ゲート扉と枠の間の隙間を隠し、それにより、たとえば光が透けることがなくなる。これに加えて、枠形材の鍔には、ゲートが閉じられたときに条片に当接するシール材が配置されていてよい。
【００１０】
体育館はしばしば木材や衝撃吸収性材料からなる壁の板張りを有している。セクション型ゲート扉をこれに合わせて調整することができる。本発明の有利な実施形態では、セクションは、ゲート外面にプレートが取り付けられたフレーム構造を有している。プレートは上側縁部と下側縁部に指挟み防止形材を備えている。そのためにプレートは、上側縁部には、ゲート外面を起点とする円弧状の横断面形材を有するとともに、下側縁部には、隣接するセクションの上側縁部と協働する凹部を有しており、それにより、ゲートが開閉運動をするときに隣接するそれぞれのセクションの間でゲート扉外面に隙間が空かず、再び閉じるようになっている。プレートは木材または木工製品でできていてよい。
【００１１】
閉鎖状態のときに一番上にあるセクション型ゲート扉のセクション、いわゆるトップセクションが、別個の走行レールで案内される構成も本発明の範疇に含まれる。この実施形態では、ガイドレールの水平区域の上に、実質的に水平方向へ枠形材まで延びる第２の走行レールが配置される。トップセクションの走行ローラはこの第２の走行レールで案内されるのに対して、その他すべてのセクションの走行ローラは上に説明したガイドレールの中で走行する。当然ながら、トップセクションと、トップセクションに配置された走行ローラ支持体との間にも、スペーサ部材が配置されていてよい。このスペーサ部材は、セクションと走行ローラ支持体の間の間隔を橋渡しするものであり、閉鎖状態のときにトップセクションが、ゲート開口部を取り囲む外側の面と一直線上に並ぶように設計されている。
【発明を実施するための最良の形態】
【００１２】
次に、あくまでも一例にすぎない実施例を示した図面を参照しながら、本発明について詳しく説明する。図面は模式的な図である。
【００１３】
各図面に示されたセクション型ゲートの基本的な構造部は、枠１と、垂直区域３および水平区域４およびこれら両方の区域３，４をつなぐ湾曲部とを有するガイドレール２と、ガイドレール２の走行ローラ７で案内される枢着結合された複数のセクション６からなるセクション型ゲート扉５と、を含む。セクション型ゲート扉には、多部分からなるセクション型ゲート扉５の下側のセクションと牽引ロープを介してつながれた、たとえば弾性シャフトの形態の重量補償装置８が付属している。
【００１４】
セクションの上側縁部は、隣接するセクションの下側縁部にある凹部１０に係合する、ゲート外面を起点とする円弧状の横断面形材９を有している。形材９，１０は、セクションが旋回運動をするときにゲート外面で指挟みの危険と結びついた指の幅の隙間が空かないように、互いに調整されている。ゲート開口部を区切り、フロント面部（鏡板面）１２およびフロント面部から立ち上がる（突出）する取付脚部１３を有する、鋼板でできた垂直方向の枠形材１１が枠１に付属している。取付脚部１３は、枠を隣接する壁面１４へ取り付けるために利用することができる。さらに取付脚部１３は、ガイドレール２の垂直区域３を取り付ける役目も果たす。
【００１５】
特に図２を見るとわかるように、枠形材１１のフロント面部１２の上にはプレート１５が配置されており、ゲート扉の外面１６は、閉鎖状態のとき、ゲート開口部を取り囲む面２５すなわちプレート１５の外面とオフセットなく一直線上に並ぶ。プレート１５は、たとえば中実な木材プレートである。当然ながら、フロント面部１２に板張りをするには、たとえば衝撃吸収性材料などのその他のプレートを使うこともできる。走行ローラが回転自在に支承された走行ローラ支持体１７と、セクション６との間には、セクション６と走行ローラ支持体１７の間隔を橋渡しするスペーサ部材１８が配置されている。
【００１６】
垂直方向の枠形材１１は、本実施例では、ゲート開口部の枠内面２０と一直線上に並び、シール材を収容するように構成された鍔１９を有している。セクションのゲート内側には、任意選択で、閉鎖状態のときに枠形材の鍔１９を隠す条片２１が配置される。条片２１は、ゲート開口部の枠内面２０とセクション型ゲート扉５の間の隙間を隠し、たとえば邪魔になる光の通過を防止する。枠形材の鍔１９に配置されたシール材との関連で、追加的に、隙間風に対する有効な封止も実現可能である。セクション６は、本実施例では木材または木工製品でできている。セクションは、ゲート外面にプレート２３が取り付けられたフレーム構造２２を有している。プレート２３は、上側縁部と下側縁部に指挟み防止形材を備えるように構成されている。プレートは、上側縁部には、ゲート外側を起点とする円弧状の横断面形材９を有するとともに、下側縁部には、隣接するセクションの上側縁部と協働する凹部１０を有している。
【００１７】
図１からわかるように、ガイドレール２の水平区域４の上には、実質的に水平方向に枠形材１１まで延び、閉止時に一番上にくるトップセクションと呼ばれるセクションを案内する役目をする第２の走行レール２４が配置されている。トップセクションに配置された走行ローラは、第２の走行レール２４の中で案内されているのに対して、その他のすべてのレールの走行ローラはガイドレール２の中を走行する。このとき、トップセクションとこれに付属する走行ローラ支持体の間にもスペーサ部材１８が設けられており、このスペーサ部材は、ゲート扉閉鎖状態のときにトップセクションも、ゲート開口部を取り囲む面とオフセットなく一直線上に並ぶ程度まで、セクションと走行ローラ支持体の間の間隔を橋渡しする。
【００１８】
本実施例に示すセクション型ゲートは、特に体育館などで使用するのに適している。セクション型ゲートの外面全体を、同一平面上にくるように体育館の壁面に合わせて適合化することができる。さらに、たとえば木工製品を使用することで、木材で板張りされた空間に外見的に合わせることも可能である。当然ながら、セクション型ゲートに電動式のゲート駆動装置を装備することもできる。
【図面の簡単な説明】
【００１９】
【図１】図１は、セクション型ゲートを示す側面図である。
【図２】図２は、図１のＡ−Ａ断面図である。
【符号の説明】
【００２０】
１  枠
２  ガイドレール
３  垂直区域
４  水平区域
５  セクション型ゲート扉
６  セクション
７  走行ローラ
１０  凹部
１１  枠形材
１２  フロント面部（鏡板面）
１３  取付脚部
１７  ロール支持体
２０  枠内面（ソフィット）
２５  取り囲む面
【図１】
2008121366.tif 000003
【図２】
2008121366.tif 000004